(57)【要約】      （修正有）【課題】ボールをヒットすることが事実上困難な地点にボールが静止しないようなフィールドとすると共に、ボールが密集していても目的のボールのみをヒットすることができるようなスティックを提供する。【解決手段】長方形の外周に起立枠を設け、４隅角部及び長辺側の中点部にポケットを配設し、ポケットの部分を除く起立枠の内壁面にクッション材を当着したフィールドと、複数のボール及びスティックより成り、遊戯又は競技者がフィールド内でスティックのヘッドによりヒットしたボールで、他のボールをポケットへ入れる遊戯又は競技装置に於いて、フィールド面にクッション材の直下近くからフィールド内に向かって下り傾斜面を有することを特徴とする。【選択図】図２
0003113444.tif 000002
【実用新案登録請求の範囲】
【請求項１】
長方形の外周に起立枠を設け、４隅角部及び長辺側の中点部にポケットを配設し、ポケットの部分を除く起立枠の内壁面にクッション材を当着したフィールドと、複数のボール、及びスティックより成り、遊戯又は競技者がフィールド内でスティックのヘッドによりヒットしたボールで、他のボールをポケットへ入れる遊戯又は競技装置に於いて、フィールド面にクッション材の直下近くからフィールド内に向かって下り傾斜面を有することを特徴とする遊戯又は競技装置。
【請求項２】
傾斜面は、ボールが静止することが無く転動可能な傾斜角度を有することを特徴とする請求項１記載の遊戯又は競技具。
【請求項３】
傾斜面は、起立枠やクッション材が障害となってボールをスティックでヒットできない範囲に形成されていることを特徴とする請求項１又は２記載の遊戯又は競技具。  
【請求項４】
スティックに、柄部に対して直角方向へ１８０度間隔で突出し、先端がヒット面となる太細の違いを有する２種類の棒状ヘッド部を設けると共に、ヒット面にクッション材を被着したことを特徴とする請求項１乃至３のいずれかに記載の遊戯又は競技具。
【請求項５】
フィールドを分割可能に構成し、分割面におけるフィールド端面はアリ嵌合とし、起立枠は外壁面で着脱可能に係止手段を装着したことを特徴とする請求項１乃至４のいずれかに記載の遊戯又は競技具。
【考案の詳細な説明】
【技術分野】
【０００１】
本考案は、ゲートボールとポケットビリヤードの要素を併せ持つ遊戯又は競技装置の改良に関するものである。
【背景技術】
【０００２】
ゲートボールとポケットビリヤードの要素を併せ持つ遊戯又は競技装置に関しては、例えば実用新案登録第３０２９９４３号や実用新案登録第３０３１２６８号で提案がなされている。
すなわち、実用新案登録第３０２９９４３号では複数のボール溜まりを設けた長方形のコートを形成する枠の内側にボールを跳ね返すクッションを張り巡らせたコートと、複数の的球、１個の射球と、射球を打つためのスティックとで構成されるゲーム装置が、また、実用新案登録第３０３１２６８号では、ポケットビリヤードのゲームフィールドより１．５〜２．５倍拡大されたゲームフィールドと、該フィールド内に設置される１から１５までの番号が付された１５個のボールと、１個の手玉を備えた前記と同種の遊戯又は競技設備が開示されている。
【考案の開示】
【考案が解決しようとする課題】
【０００３】
上記従来のコートやゲームフィールドでは、外周枠の内側にクッションを張って衝突したボールを撥ね返すようにしているのであるけれど、ボールの転動が弱く外周枠やクッションに接するように静止してしまったり、その近傍に止ってしまうことがある。
この場合には、外周枠やクッションが障害となってスティックでボールをヒットすることが事実上出来なかったり、非常に困難となったりし、このようなことが度々おきるとゲームの興味も殺がれるのである。
【０００４】
また、スティックのヘッド面はボールを捉えやすいように大き目の径（円形である）としてあるため、ボールが密集した中で指定のボールをヒットする場合に、近接した他のボールが邪魔となって目的のボールのみをヒットできないことも生じるのである。
【０００５】
そこで、本考案は、ボールをヒットすることが事実上困難な地点にボールが静止しないようなフィールドとすると共に、ボールが密集していても目的のボールのみをヒットすることができるようなスティックを提供せんとするものである。
また、フィールドの解体・設置を容易確実にできるフィールドの構造をも併せて提供せんとするものである。
【課題を解決するための手段】
【０００６】
本考案は、長方形の外周に起立枠を設け、４隅角部及び長辺側の中点部にポケットを配設し、ポケットの部分を除く起立枠の内壁面にクッション材を当着したフィールドと、複数のボール及びスティックより成り、遊戯又は競技者がフィールド内でスティックのヘッドによりヒットしたボールで、他のボールをポケットへ入れる遊戯又は競技装置に於いて、フィールド面にクッション材の直下近くからフィールド内に向かって下り傾斜面を有することを特徴とする遊戯又は競技装置としたものである。
【０００７】
本考案は、フィールド面にクッション材の直下近くからフィールド内に向かって下り傾斜面を形成したものであるから、ボールが傾斜面に止まらずに起立枠やクッション材から離れた位置に止まることとなる。
【０００８】
請求項２に記載の考案は、傾斜面は、ボールが静止することが無く転動可能な傾斜角度を有するものとし、また、請求項３に記載の考案は、傾斜面は、起立枠やクッション材が障害となってボールをスティックでヒットできない範囲に形成されているものである。
そのため、ボールが傾斜面上に静止すことはなく、起立枠やクッション材に影響されずにスティックのヒット面でボールをヒットして打撃をおこなえるのである。
【０００９】
請求項４に記載の考案は、スティックに、柄部に対して直角方向へ１８０度間隔で突出し、先端がヒット面となる太細の違いを有する２種類の棒状ヘッド部を設けると共に、ヒット面にクッション材を被着したものである。
太細の違いを有する２種類のヘッド部を、選択的にボールの状況に応じて使用できるものであり、ヒット面のクッションは打撃の反発を増加させ室内に響く音を緩和させる。
【００１０】
請求項５に記載の考案は、フィールドを分割可能に構成し、分割面におけるフィールド端面はアリ嵌合とし、起立枠は外壁面で着脱可能に止着手段を装着したものである。
フィールドを解体して分割し、また連結して組み立て設置することが出来るものである。    
【考案の効果】
【００１１】
本考案は、フィールド面に、クッション材の直下近くからフィールド内に向かって下り傾斜面を形成したものであるから、ボールは傾斜面に静止することなく、傾斜面より内方の地点となる起立枠やクッション材から離れた位置に止まることとなる。
したがって、外周枠やクッションが障害となることなく常にスティックのヒット部でボールをヒットすることが出来る効果を有するのである。
【００１２】
請求項２に記載の考案は、傾斜面は、ボールが静止することが無く転動可能な傾斜角度を有するものとし、また、請求項３に記載の考案は、傾斜面は、起立枠やクッション材が障害となってボールをスティックでヒットできない範囲に形成されているものであるから、確実に起立枠やクッション材から離れた、スティックでヒットできる位置にボールを止まらせることが出来る効果を有する。
【００１３】
請求項４に記載の考案は、スティックに、柄部に対して直角方向へ１８０度間隔で突出し、先端がヒット面となる太細の違いを有する２種類の棒状ヘッド部を設けると共に、ヒット面にクッション材を被着したものであるから、ターゲットのボールが他のボールと離れ孤立している場合や、近接していたり、或いは密集の中に在る等の状況に応じて、太細の違いを有する２種類のヘッド部を、選択的に使用して有効なヒットを行える効果を有し、ヒット面のクッションは打撃の反発を増加させ、スティックの軽量化と不測の危険の最小限に止めると共に、室内に響く音を緩和させる効果を発揮するのである。
【００１４】
請求項５に記載の考案は、フィールドを分割可能に構成し、分割面におけるフィールド端面はアリ嵌合とし、起立枠は外壁面で着脱可能に係止手段を装着したものである。
フィールドを解体して分割して構成部分を小さく軽量化することで運搬・収納を至便とし、また連結して組み立て設置を確実容易に行うことが出来る効果を発揮する。
【考案を実施するための最良の形態】
【００１５】
本考案の実施の形態を図面に基づいて説明する。
図１は本考案のフィールド１の一実施の形態を示す平面図、図２は要部断面図である。
平面長方形のフィールド面板２、フィールド面板２の周囲には起立枠３が形成され、フィールド面板２の四隅角及び長辺の中点部にそれぞれ三角形状に切り欠いたポケット４、４、４、４、及び正方形に切り欠いたポケット５，５が形成してある。  
各ポケット４，５は起立枠３とフィールド面板２により孔状態となり、ボール６が落下すると共に落ち込むのに充分な広さを有する。
【００１６】
フィールド面板２は、例えば木製又は合成樹脂製で、限定はないが縦横４×２メートル程度の広さとし、面上には人工芝やカーペット等７を敷設しボール６の転がりを良くしている。
起立枠３の高さはフィールド面より５乃至７センチメートルとし、ボール６の半径よりも高くしてフィールド１外へのボールの飛び出しを防止できるようにする。
起立枠３は図面ではフィールド面板２の外周端面に当着してあるが、周囲に載置して立設してもよい。
起立枠３の内側面にはポケット４，５の部分を除いてクシッション材８が突出して当着してあり、ボール６の衝撃を緩和すると共に消音作用をなし、撥ね返りを良好とする。
材質はゴム等の弾性のあるものであればよい。
【００１７】
また、クッション材８下のフィールド面板２は内方にかけて下がり傾斜面９となっており、起立枠３やクッション材８の近くにボール６が静止しないようにしてある。
フィールド１の内方へ向いた下りの傾斜面９は、自然にボール６が転がる傾斜角に設定し、ボール６の直径の２倍以上の水平距離とすれば、傾斜面９の際で止まったボール６でもスティック１０でヒットするのに支障とならず、事実上のヒットできない状況を回避してスムーズな遊戯又は競技の進行が図れ、また、徒にルールが複雑化するのを防止できるのである。
図面では傾斜面９が起立枠３の内壁面から形成されているけれど、制作の都合であり、クッション材８の下までボール６が転がり込むことは無く、少なくともクッション材８の先端直下から存在すれば充分である。
【００１８】
図３はスティック１０の一部側面図であり、柄部１１の下端に二つのヒット部１２Ａ,
１２Ｂが設けてある。
ヒット部１２Ａ、１２Ｂは、各ヒット面１３Ａと１３Ｂが柄部１１に対して一直線状に１８０度間隔で突設し、当該二つのヒット面１３Ａと１３Ｂの大きさ（径）が異なる太細の棒体のヒット部１２Ａ、１２Ｂを形成し、ボール６の静止場所の状況によってヒット面１３Ａ、１３Ｂを選択的に用いてヒットできるようにしてある。
ヒット面１３Ａ、１３Ｂにはクッション材１４を被着し、ヒット時の反発を良好にすると共に消音作用、更に人や物への不測の危害を考慮したものである。
このクッション材１４は前記のクッション材８と同一の材質でも異なったものでも任意に選択できる。
【００１９】
図４はフィールド１の部分図であり、フィールド面板２は図１に示すように縦横に４分割でき、分割端面１５はアリ嵌合とし、一方をアリ溝１６Ａ、他方をアリホゾ１６Ｂに形成し、また、起立枠３の分割・突合する端面も同様のアリ嵌合の構成としてある。
また、起立枠３の分割部の外面には適宜バックル等の係止手段１７を装着して着脱可能とし、競技時に分離しないようにしている。
図１では４分割した例を示したが、運搬や収納を考え6分割、8分割又はそれ以上の構成部材に分割して、小さく、軽量化するのも自由である。
【００２０】
本考案における遊戯又は競技は、ポケットビリヤードの各種ゲームのルールを利用したものとしてもよいし、或いは、遊戯又は競技者のマイボールを決め、相手のマイボールを共通のヒット用ボールでポケットに入れるのを競うようにしてもよいし、各マイボールが入るポケットを決めておく等、種々のルールを考案できるものである。
【図面の簡単な説明】
【００２１】
【図１】本考案の一実施の形態を示すフィールドの平面図である。
【図２】図１の要部断面図である。
【図３】本考案の一実施の形態を示すスティックの一部側面図である。
【図４】本考案のフィールド面板の分割部分の断面図である。
【図５】フィールドの分割部分を示す一部平面図である。
【符号の説明】
【００２２】
１              フィールド
２              フィールド面板
３              起立枠
４、５          ポケット
６              ボール
７              人工芝やカーペット等
８、１４        クッション材
９              傾斜面
１０            スティック
１１            柄部
１２Ａ、１２Ｂ  ヒット部
１３Ａ、１３Ｂ  ヒット面  
１５            分割端面
１６Ａ          アリ溝
１６Ｂ          アリホゾ  
１７            係止手段
【図１】
0003113444.tif 000003
【図２】
0003113444.tif 000004
【図３】
0003113444.tif 000005
【図４】
0003113444.tif 000006
【図５】
0003113444.tif 000007